(57)【要約】      （修正有）【課題】物品を安定的に運搬可能な箱用シートを提供する。【解決手段】本考案に係る箱用シートは、左右方向の一方側から他方側に連接され、四角筒状に組み立てられる第１長さ面パネル１、第１幅面パネル２、第２長さ面パネル３及び第２幅面パネル４と、第１幅面パネル２及び第２幅面パネル４の上縁から延出する一対の上側内フラップ７，８とを備え、第１幅面パネル２及び第２幅面パネル４が一対の手掛け穴形成用折り込み片２２を有し、一対の上側内フラップ７，８が組立状態で第１幅面パネル２及び第２幅面パネル４に折り重ねられる一対の補強用折り込み片２６を有し、一対の補強用折り込み片２６が、折り重ね状態で手掛け穴形成用折り込み片２２と重複する領域を含み、手掛け穴形成用折り込み片２２が係合する開口２８又は切欠きを有する。【選択図】図１
0003215763.tif 000002
【実用新案登録請求の範囲】
【請求項１】
左右方向の一方側から他方側に連接され、四角筒状に組み立てられる第１長さ面パネル、第１幅面パネル、第２長さ面パネル及び第２幅面パネルと、
上記第１長さ面パネル及び第２長さ面パネルの上縁から延出する一対の上側外フラップと、
上記第１幅面パネル及び第２幅面パネルの上縁から延出する一対の上側内フラップと
を備え、
箱型に組立可能な箱用シートであって、
上記第１幅面パネル及び第２幅面パネルが、下方に凸な切断線又は破断容易線からなる第１分離線によって画定される一対の手掛け穴形成用折り込み片を有し、
上記一対の上側内フラップが、上記第１幅面パネル及び第２幅面パネルとの連接部側に両端が位置し先端側に凸な切断線又は破断容易線からなる第２分離線によって画定され、組立状態で上記第１幅面パネル及び第２幅面パネルに折り重ねられる一対の補強用折り込み片を有し、
上記一対の補強用折り込み片が、折り重ね状態で上記手掛け穴形成用折り込み片と重複する領域を含み、上記手掛け穴形成用折り込み片が係合する開口又は切欠きを有する箱用シート。
【請求項２】
上記第１分離線が、上下方向に延びる一対の直線部と、これらの直線部の下端同士を接続する接続部とを有し、
上記一対の直線部同士の間隔が、上記補強用折り込み片の折り重ね状態で上記一対の直線部と対応する上記開口又は切欠きの幅よりも大きく、
上記一対の直線部同士の間隔と上記開口又は切欠きの幅との差が１ｍｍ以上１５ｍｍ以下である請求項１に記載の箱用シート。
【請求項３】
上記補強用折り込み片が、上記第２分離線の両端よりも先端側を左右方向に横断する補強用折り曲げ容易線を有する請求項１又は請求項２に記載の箱用シート。
【請求項４】
上記第１幅面パネル及び第２幅面パネルが、上記第１分離線の両端間を接続する基端折り曲げ容易線を有し、
上記手掛け穴形成用折り込み片が、上記基端折り曲げ容易線よりも下方を左右方向に横断する中間折り曲げ容易線を有し、
シート厚さに対する上記基端折り曲げ容易線及び中間折り曲げ容易線間の間隔の比が１．０以上２．５以下である請求項１、請求項２又は請求項３に記載の箱用シート。
【請求項５】
上記中間折り曲げ容易線が、切断線と、上記第１幅面パネル又は第２幅面パネルの内面を筋押しして形成された罫線とが交互に連続したリード罫線である請求項４に記載の箱用シート。
【考案の詳細な説明】
【技術分野】
【０００１】
本考案は、箱用シートに関する。
【背景技術】
【０００２】
段ボールシート等から構成される箱用シートを組み立ててなる包装箱が物品の梱包容器として広く用いられている。このような包装箱としては、物品の運搬の際の持ち運び性を高めるべく手掛け穴が形成されたものも存在している。このような手掛け穴が形成された包装箱として、例えば「包装箱」（特開２０１３−２４１２１６号公報参照）が提案されている。
【０００３】
上記公報に記載の包装箱は、一対の側壁が、左右方向に延びる折り曲げ予定線及びこの折り曲げ予定線の両端部に接続され下方に凸な第１切込み線を有しており、上記第１切込み線を内側に折り込むことで手掛け穴を形成可能に構成されている。また、この包装箱は、上記折り曲げ予定線の上側に左右方向と交差する方向に延びる第２切込み線を有している。
【先行技術文献】
【特許文献】
【０００４】
【特許文献１】特開２０１３−２４１２１６号公報
【考案の概要】
【考案が解決しようとする課題】
【０００５】
上記公報に記載の包装箱は、内部に収容される物品の重量が重く手掛け穴の上端が上方に破れた場合でもこの破れ目が第２切込み線で止まるため、安定的に運搬作業をできるとされている。しかしながら、この包装箱は、側壁の破れを第２切込み線によって一旦リセットすることができるとしても、さらに物品を運搬すると、第２切込み線から上方に破れを生じるおそれが高い。そのため、この包装箱によると物品を安定的に運搬し難い。
【０００６】
本考案は、このような不都合に鑑みてなされたものであり、物品を安定的に運搬可能な箱用シートの提供を課題とする。
【課題を解決するための手段】
【０００７】
上記課題を解決するためになされた本考案に係る箱用シートは、左右方向の一方側から他方側に連接され、四角筒状に組み立てられる第１長さ面パネル、第１幅面パネル、第２長さ面パネル及び第２幅面パネルと、上記第１長さ面パネル及び第２長さ面パネルの上縁から延出する一対の上側外フラップと、上記第１幅面パネル及び第２幅面パネルの上縁から延出する一対の上側内フラップとを備え、箱型に組立可能な箱用シートであって、上記第１幅面パネル及び第２幅面パネルが、下方に凸な切断線又は破断容易線からなる第１分離線によって画定される一対の手掛け穴形成用折り込み片を有し、上記一対の上側内フラップが、上記第１幅面パネル及び第２幅面パネルとの連接部側に両端が位置し先端側に凸な切断線又は破断容易線からなる第２分離線によって画定され、組立状態で上記第１幅面パネル及び第２幅面パネルに折り重ねられる一対の補強用折り込み片を有し、上記一対の補強用折り込み片が、折り重ね状態で上記手掛け穴形成用折り込み片と重複する領域を含み、上記手掛け穴形成用折り込み片が係合する開口又は切欠きを有する。
【０００８】
当該箱用シートは、上記第１幅面パネル及び第２幅面パネルに上記補強用折り込み片を折り重ね、この補強用折り込み片に形成される開口又は切欠きに上記手掛け穴形成用折り込み片を係合することで、手掛け穴の強度を高めることができる。具体的には、上記第１幅面パネル又は第２幅面パネルと上記補強用折り込み片とによって持ち手を２重に形成することができると共に、この持ち手を構成する重ね合わせ部分の下端に手掛け穴形成用折り込み片を配設することで、手掛け穴の上端からの破れを抑制することができる。従って、当該箱用シートによると、物品を安定的に運搬することができる。
【０００９】
上記第１分離線が、上下方向に延びる一対の直線部と、これらの直線部の下端同士を接続する接続部とを有し、上記一対の直線部同士の間隔が、上記補強用折り込み片の折り重ね状態で上記一対の直線部と対応する上記開口又は切欠きの幅よりも大きいことが好ましく、上記一対の直線部同士の間隔と上記開口又は切欠きの幅との差としては１ｍｍ以上１５ｍｍ以下が好ましい。このように、上記一対の直線部同士の間隔と上記開口又は切欠きの幅との差が上記範囲内であることによって、上記手掛け穴形成用折り込み片を上記開口又は切欠きに容易かつ確実に係合することができると共に、この係合状態を安定的に保つことができる。
【００１０】
上記補強用折り込み片が、上記第２分離線の両端よりも先端側を左右方向に横断する補強用折り曲げ容易線を有するとよい。このように、上記補強用折り込み片が、上記第２分離線の両端よりも先端側を左右方向に横断する補強用折り曲げ容易線を有することによって、上記補強用折り込み片を上記第１幅面パネル及び第２幅面パネルに容易に折り重ねることができる。
【００１１】
上記第１幅面パネル及び第２幅面パネルが、上記第１分離線の両端間を接続する基端折り曲げ容易線を有し、上記手掛け穴形成用折り込み片が、上記基端折り曲げ容易線よりも下方を左右方向に横断する中間折り曲げ容易線を有することが好ましく、シート厚さに対する上記基端折り曲げ容易線及び中間折り曲げ容易線間の間隔の比としては１．０以上２．５以下が好ましい。このように、上記第１幅面パネル及び第２幅面パネルが、上記第１分離線の両端間を接続する基端折り曲げ容易線を有し、上記手掛け穴形成用折り込み片が、上記基端折り曲げ容易線よりも下方を左右方向に横断する中間折り曲げ容易線を有し、シート厚さに対する上記基端折り曲げ容易線及び中間折り曲げ容易線間の間隔の比が上記範囲内であることによって、上記手掛け穴形成用折り込み片の上記中間折り曲げ容易線よりも先端側の部分を、上記補強用折り込み片の上記第１幅面パネル又は第２幅面パネルと対向する側と反対の面側に容易に折り返すことができ、これにより、上記補強用折り込み片の折り重ね状態を安定的に保つことができる。
【００１２】
上記中間折り曲げ容易線が、切断線と、上記第１幅面パネル又は第２幅面パネルの内面を筋押しして形成された罫線とが交互に連続したリード罫線であるとよい。このように、上記中間折り曲げ容易線が、切断線と、上記第１幅面パネル又は第２幅面パネルの内面を筋押しして形成された罫線とが交互に連続したリード罫線であることによって、上記補強用折り込み片を上記第１幅面パネル又は第２幅面パネルの内面側に折り重ねた際に、この折り重ね状態をより安定的に保つことができる。
【００１３】
なお、本考案において、「左右方向」とは、箱用シートを組み立ててなる箱体の想定される一般的な使用態様における水平方向をいい、「上」及び「下」とは、想定される一般的な使用態様における上下を意味する。「内面」とは、箱用シートを組み立ててなる箱体における内側の面を意味する。
【考案の効果】
【００１４】
以上説明したように、本考案に係る箱用シートは、物品を安定的に運搬することができる。
【図面の簡単な説明】
【００１５】
【図１】本考案の一実施形態に係る箱用シートを示す模式的平面図である。
【図２】図１の箱用シートを組み立ててなる箱体を示す模式的斜視図である。
【図３】図１の箱用シートの第１幅面パネル及び上側内フラップの模式的部分拡大図である。
【図４】図２の箱体の内側から見た手掛け穴の模式図である。
【図５】図４の手掛け穴の模式的断面図である。
【考案を実施するための形態】
【００１６】
以下、適宜図面を参照しつつ、本考案の実施の形態を詳説する。
【００１７】
［箱用シート］
図１の箱用シートは、１枚のシートからなる。当該箱用シートは、左右方向の一方側から他方側に連接され、四角筒状に組み立てられる第１長さ面パネル１、第１幅面パネル２、第２長さ面パネル３及び第２幅面パネル４と、第１長さ面パネル１及び第２長さ面パネル３の上縁から延出する一対の上側外フラップ５，６と、第１幅面パネル２及び第２幅面パネル４の上縁から延出する一対の上側内フラップ７，８とを備える。また、当該箱用シートは、第１長さ面パネル１及び第２長さ面パネル３の下縁から延出する一対の下側外フラップ９，１０と、第１幅面パネル２及び第２幅面パネル４の下縁から延出する一対の下側内フラップ１１，１２と、第１長さ面パネル１の第１幅面パネル２との連接側と反対側の端縁から延出し、第２幅面パネル４の内面に貼着される糊代部１３とを備える。一対の上側外フラップ５，６は、第１長さ面パネル１、第１幅面パネル２、第２長さ面パネル３及び第２幅面パネル４が四角筒状に組み立てられた状態で、一対の上側内フラップ７，８が内側に折り曲げられた後に先端同士が突き合わされるよう内側に折り曲げられる。また、一対の下側外フラップ９，１０は、第１長さ面パネル１、第１幅面パネル２、第２長さ面パネル３及び第２幅面パネル４が四角筒状に組み立てられた状態で、一対の下側内フラップ１１，１２が内側に折り曲げられた後に先端同士が突き合わされるよう内側に折り曲げられる。一対の上側外フラップ５，６の突き合わせ部及び一対の下側外フラップ９，１０の突き合わせ部には、例えば封函テープＸが貼着され、これにより箱体Ａの上部開口及び下部開口が封止される。これにより、当該箱用シートは、図２に示すように、Ａ式（ミカン箱タイプ）の箱体Ａに組み立てられる。なお、図１において、太い実線はシートを切断して形成される切断線を示し、細い実線はシートの内面に筋押しして形成される罫線を示す。
【００１８】
当該箱用シートに用いられるシートとしては、当該箱用シートを組み立ててなる箱体Ａの形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。なお、当該箱用シートに用いられるシートの平均厚さは、収容物品の重さ等に応じて適宜設定可能であり、例えば１．５ｍｍ以上１０ｍｍ以下とすることができ、上記シートが両面段ボールシートである場合、このシートの平均厚さは、例えば５ｍｍとすることができ、上記シートが複両面段ボールシートである場合、このシートの平均厚さは、例えば８ｍｍとすることができる。
【００１９】
（長さ面パネル）
第１長さ面パネル１及び第２長さ面パネル３は各々略方形状に形成されている。第１長さ面パネル１及び第２長さ面パネル３は略同形状である。第１長さ面パネル１及び第２長さ面パネル３の左右方向長さとしては、特に限定されないが、例えば３０ｃｍ以上１００ｃｍ以下とすることができる。第１長さ面パネル１及び第２長さ面パネル３の上下方向長さとしては、特に限定されないが、例えば２０ｃｍ以上５０ｃｍ以下とすることができる。
【００２０】
（幅面パネル）
第１幅面パネル２及び第２幅面パネル４は各々略方形状に形成されている。第１幅面パネル２及び第２幅面パネル４は略同形状である。第１幅面パネル２及び第２幅面パネル４の左右方向長さは、第１長さ面パネル１及び第２長さ面パネル３の左右方向長さよりも小さい。第１幅面パネル２及び第２幅面パネル４の左右方向長さとしては、例えば２０ｃｍ以上７０ｃｍ以下とすることができる。第１幅面パネル２及び第２幅面パネル４の上下方向長さは、第１長さ面パネル１及び第２長さ面パネル３の上下方向長さと略等しい。
【００２１】
第１幅面パネル２及び第２幅面パネル４は、下方に凸な切断線又は破断容易線からなる第１分離線２１によって画定される一対の手掛け穴形成用折り込み片２２を有する。また、第１幅面パネル２及び第２幅面パネル４は、第１分離線２１の両端間を接続する基端折り曲げ容易線２３を有する。なお、上記破断容易線としては、例えば複数の切断線がこれらの切断線間に設けられる継ぎ目（非切断部）と交互に連続したミシン目が挙げられる。
【００２２】
〈第１分離線〉
第１分離線２１は、第１幅面パネル２及び第２幅面パネル４の上部かつ左右方向中央位置に形成されている。第１分離線２１の両端の上下方向位置は等しい。第１分離線２１は、図３に示すように、上下方向に延びる一対の直線部２１ａと、一対の直線部２１ａの下端同士を接続する接続部２１ｂとを有する。接続部２１ｂは、下方に凸なアーチ状に形成されている。
【００２３】
一対の直線部２１ａ間の間隔Ｄ１の下限としては、４ｃｍが好ましく、６ｃｍがより好ましい。一方、上記間隔Ｄ１の上限としては、１０ｃｍが好ましく、８ｃｍがより好ましい。上記間隔Ｄ１が上記下限に満たないと、手掛け穴形成用折り込み片２２の折り込みによって形成される手掛け穴Ｙに手指を挿入し難くなるおそれがある。逆に、上記間隔Ｄ１が上記上限を超えると、手掛け穴Ｙが大きくなり過ぎて、箱体Ａの組立状態において第１幅面パネル２及び第２幅面パネル４の強度が不十分となるおそれがある。
【００２４】
第１分離線２１の上下方向長さＬ１の下限としては、１．５ｃｍが好ましく、２．５ｃｍがより好ましい。一方、上記長さＬ１の上限としては、５．０ｃｍが好ましく、４．０ｃｍがより好ましい。上記長さＬ１が上記下限に満たないと、手掛け穴形成用折り込み片２２を後述の補強用折り込み片２６の開口２８に確実に係合し難くなるおそれがある。逆に、上記長さＬ１が上記上限を超えると、手掛け穴Ｙが大きくなり過ぎて、箱体Ａの組立状態において第１幅面パネル２及び第２幅面パネル４の強度が不十分となるおそれがある。
【００２５】
〈手掛け穴形成用折り込み片〉
手掛け穴形成用折り込み片２２は、第１分離線２１と、第１分離線２１の両端間（本実施形態においては一対の直線部２１ａの上端間）を接続する基端折り曲げ容易線２３とによって画定される。手掛け穴形成用折り込み片２２は、基端折り曲げ容易線２３よりも下方を左右方向に横断する中間折り曲げ容易線２４を有する。中間折り曲げ容易線２４は、一対の直線部２１ａによって画定される手掛け穴形成用折り込み片２２の側縁間を接続している。基端折り曲げ容易線２３及び中間折り曲げ容易線２４は、第１幅面パネル２及び第２幅面パネル４の上縁と平行である。
【００２６】
基端折り曲げ容易線２３は、切断線と、第１幅面パネル２又は第２幅面パネル４の内面を筋押しして形成された罫線とが交互に連続したリード罫線であることが好ましい。このように、基端折り曲げ容易線２３が、上記リード罫線であることによって、基端折り曲げ容易線２３によって手掛け穴形成用折り込み片２２を第１幅面パネル２及び第２幅面パネル４の内面側に折り込みやすい。これにより、第１幅面パネル２及び第２幅面パネル４の内面側に折り重ねられる補強用折り込み片２６の開口２８に手掛け穴形成用折り込み片２２を係合しやすい。
【００２７】
中間折り曲げ容易線２４は、切断線と、第１幅面パネル２又は第２幅面パネル４の内面を筋押しして形成された罫線とが交互に連続したリード罫線であることが好ましい。このように、中間折り曲げ容易線２４が、上記リード罫線であることによって、補強用折り込み片２６を第１幅面パネル２及び第２幅面パネル４の内面側に折り重ねた状態で、手掛け穴形成用折り込み片２２の中間折り曲げ容易線２４よりも先端側の部分を、補強用折り込み片２６の内面側により容易に折り返すことができる。その結果、補強用折り込み片２６の第１幅面パネル２及び第２幅面パネル４の内面側への折り重ね状態を安定的に保つことができ、手掛け穴Ｙの上方に形成される持ち手の強度を確実に高めることができる。
【００２８】
シート厚さに対する基端折り曲げ容易線２３及び中間折り曲げ容易線２４間の間隔の比の下限としては、１．０が好ましく、１．５がより好ましい。一方、上記比の上限としては、２．５が好ましく、２．２がより好ましい。上記比が上記下限に満たないと、基端折り曲げ容易線２３を折り曲げた状態で、中間折り曲げ容易線２４を補強用折り込み片２６の内面側に位置させ難い。その結果、手掛け穴形成用折り込み片２２の中間折り曲げ容易線２４よりも先端側の部分を、補強用折り込み片２６の内面側に折り返し難くなるおそれがある。逆に、上記比が上記上限を超えると、基端折り曲げ容易線２３及び中間折り曲げ容易線２４間の間隔が大きくなりすぎて、補強用折り込み片２６の折り重ね状態を的確に維持し難くなるおそれがある。
【００２９】
（上側外フラップ）
一対の上側外フラップ５，６は各々略方形状に形成されている。一対の上側外フラップ５，６は略同形状である。一対の上側外フラップ５，６の延出方向長さは第１幅面パネル２及び第２幅面パネル４の幅の略１／２である。
【００３０】
（上側内フラップ）
一対の上側内フラップ７，８は各々略方形状に形成される。一対の上側内フラップ７，８は略同形状である。
【００３１】
一対の上側内フラップ７，８は、第１幅面パネル２及び第２幅面パネル４との連接部側に両端が位置し先端側に凸な切断線又は破断容易線からなる第２分離線２５によって画定され、組立状態で第１幅面パネル２及び第２幅面パネル４に折り重ねられる一対の補強用折り込み片２６を有する。
【００３２】
〈第２分離線〉
第２分離線２５は、図３に示すように、上下方向（上側内フラップ７，８の延出方向）に延びる一対の直線部２５ａと、一対の直線部２５ａの上端同士（一対の直線部２５ａの上側内フラップ７，８の延出方向先端同士）を接続する接続部２５ｂとを有する。
【００３３】
第２分離線２５の両端は、一対の上側内フラップ７，８と第１幅面パネル２及び第２幅面パネル４との連接部に位置していてもよい。また、第２分離線２５の両端は、上記連接部よりも一対の上側内フラップ７，８の先端側に位置していてもよい。第２分離線２５の両端が上記連接部よりも一対の上側内フラップ７，８の先端側に位置することで、上記連接部における隙間を無くすことができる。
【００３４】
〈補強用折り込み片〉
図４，５に示すように、一対の補強用折り込み片２６は、箱体Ａの組立状態で第１幅面パネル２及び第２幅面パネル４の内面側に折り重ねられる。一対の補強用折り込み片２６は、第２分離線２５の両端よりも先端側を左右方向に横断する補強用折り曲げ容易線２７と、折り重ね状態で手掛け穴形成用折り込み片２２と重複する領域を含み、手掛け穴形成用折り込み片２２が係合する開口２８とを有する。当該箱用シートは、補強用折り込み片２６が補強用折り曲げ容易線２７を有することによって、補強用折り込み片２６の補強用折り曲げ容易線２７よりも先端側の領域を第１幅面パネル２及び第２幅面パネル４に容易に折り重ねることができる。
【００３５】
補強用折り曲げ容易線２７は、第１幅面パネル２及び第２幅面パネル４の上縁と平行である。第１幅面パネル２及び第２幅面パネル４の上縁と補強用折り曲げ容易線２７との間隔Ｄ２のシート厚さに対する比の下限としては、１．０が好ましく、１．２がより好ましい。一方、上記比の上限としては、２．５が好ましく、２．０がより好ましい。上記比が上記下限に満たないと、補強用折り曲げ容易線２７を折り曲げた状態で、補強用折り曲げ容易線２７から先端側に連続する領域と第１幅面パネル２及び第２幅面パネル４の内面とが圧接され、一対の補強用折り込み片２６の折り重ね状態を安定的に保持し難くなるおそれがある。逆に、上記比が上記上限を超えると、補強用折り曲げ容易線２７から先端側に連続する領域を第１幅面パネル２及び第２幅面パネル４の内面に当接し難くなるおそれがある。
【００３６】
補強用折り曲げ容易線２７は、切断線と、一対の上側内フラップ７，８の内面を筋押しして形成された罫線とが交互に連続したリード罫線であることが好ましい。このように、補強用折り曲げ容易線２７が、上記リード罫線であることによって、補強用折り込み片２６を第１幅面パネル２及び第２幅面パネル４の内面側に容易に折り重ねることができる。
【００３７】
開口２８は一対の上側内フラップ７，８の左右方向中央位置に形成される。開口２８は、補強用折り込み片２６を第１幅面パネル２及び第２幅面パネル４の内面側に折り重ねた状態で手掛け穴形成用折り込み片２２の折り込みによって形成される開口と共に手掛け穴Ｙを形成する。補強用折り込み片２６の折り重ね状態で、開口２８の外縁は手掛け穴形成用折り込み片２２の外縁と略一致する。
【００３８】
開口２８は、補強用折り込み片２６の折り重ね状態で第１分離線２１の一対の直線部２１ａと対応する一対の直線部２９ａを有する。第１分離線２１の一対の直線部２１ａ同士の間隔Ｄ１は、開口２８の一対の直線部２９ａ同士の間隔Ｄ３（一対の直線部２１ａに対応する開口２８の幅）よりも大きいことが好ましい。第１分離線２１の一対の直線部２１ａ同士の間隔Ｄ１が開口２８の一対の直線部２９ａ同士の間隔Ｄ３よりも大きいことで、手掛け穴形成用折り込み片２２を開口２８に係合した状態を安定的に維持しやすい。
【００３９】
第１分離線２１の一対の直線部２１ａ同士の間隔Ｄ１と開口２８の一対の直線部２９ａ同士の間隔Ｄ３との差の下限としては、１ｍｍが好ましく、５ｍｍがより好ましい。一方、上記差の上限としては、１５ｍｍが好ましく、１２ｍｍがより好ましい。上記差が上記下限に満たないと、意図しない外力等が加わった際に手掛け穴形成用折り込み片２２と開口２８との係合が解除されやすくなるおそれがある。逆に、上記差が上記上限を超えると、手掛け穴形成用折り込み片２２を開口２８に挿入し難くなるおそれがある。
【００４０】
＜利点＞
当該箱用シートは、第１幅面パネル２及び第２幅面パネル４に補強用折り込み片２６を折り重ね、この補強用折り込み片２６に形成される開口２８に手掛け穴形成用折り込み片２２を係合することで、手掛け穴Ｙの強度を高めることができる。具体的には、第１幅面パネル２又は第２幅面パネル４と補強用折り込み片２６とによって持ち手を２重に形成することができると共に、この持ち手を構成する重ね合わせ部分の下端に手掛け穴形成用折り込み片２２を配設することで、持ち手の強度を高めることができ、手掛け穴の上端からの破れを抑制することができる。従って、当該箱用シートによると、物品を安定的に運搬することができる。
【００４１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４２】
例えば上記補強用折り込み片は、上記開口に代えて、上記補強用折り込み片の先端側に開放され、手掛け穴形成用折り込み片が係合する切欠きを有していてもよい。
【００４３】
上記第１分離線は、上記一対の直線部に代えて上方から下方に向けて互いに離間する一対の拡幅部を有していてもよい。当該箱用シートは、上記第１分離線が一対の拡幅部を有することで、上記手掛け穴形成用折り込み片の上記補強用折り込み片の開口又は切欠きとの係合状態を安定的に保ちやすい。
【００４４】
上記実施形態では、一対の補強用折り込み片を第１幅面パネル及び第２幅面パネルの内面側に折り重ねる場合について説明したが、当該箱用シートは、一対の補強用折り込み片を第１幅面パネル及び第２幅面パネルの外面側に折り重ねてもよい。この場合、上記基端折り曲げ容易線、中間折り曲げ容易線及び補強用折り曲げ容易線は、切断線と、シートの外面を筋押しして形成された罫線とが交互に連続したリード罫線であってもよい。
【００４５】
上記第１幅面パネル及び第２幅面パネルは、上記第１分離線の両端間を接続する基端折り曲げ容易線を有しなくてもよい。また、上記手掛け穴形成用折り込み片は、上記基端折り曲げ容易線よりも下方を左右方向に横断する中間折り曲げ容易線を有しなくてもよい。
【産業上の利用可能性】
【００４６】
以上のように、本考案の箱用シートは、物品を安定的に運搬することができるので、物品梱包用の箱用シートとして適している。
【符号の説明】
【００４７】
１  第１長さ面パネル
２  第１幅面パネル
３  第２長さ面パネル
４  第２幅面パネル
５，６  上側外フラップ
７，８  上側内フラップ
９，１０  下側外フラップ
１１，１２  下側内フラップ
１３  糊代部
２１  第１分離線
２１ａ  直線部
２１ｂ  接続部
２２  手掛け穴形成用折り込み片
２３  基端折り曲げ容易線
２４  中間折り曲げ容易線
２５  第２分離線
２５ａ  直線部
２５ｂ  接続部
２６  補強用折り込み片
２７  補強用折り曲げ容易線
２８  開口
２９ａ  直線部
Ａ  箱体
Ｘ  封函テープ
Ｙ  手掛け穴
【図１】
0003215763.tif 000003
【図２】
0003215763.tif 000004
【図３】
0003215763.tif 000005
【図４】
0003215763.tif 000006
【図５】
0003215763.tif 000007